(57)【要約】      （修正有）【課題】集塵ホースが取り付けられない既存の電動工具であっても、集塵アタッチメントを後付けすることにより、集塵ホースの取り付けが可能になって作業性をさらに向上させることができる集塵アタッチメントの取り付け構造を提供する。【解決手段】電動工具本体１にワンタッチで締結可能なレバークリップ型締め付けバンド６と、フック先端側に挿入部を有し、フック基端側に固定部を有するフック状の取り付け体７と、先端側に集塵口５１を有する筒状の集塵アタッチメント５と、集塵アタッチメント５内をスライド可能に嵌装される摺動パイプ８を備える。集塵アタッチメント５と前記摺動パイプ８は、止着具９によって固定される。【選択図】図１
0003185228.tif 000002
【実用新案登録請求の範囲】
【請求項１】
電動工具本体（１）と、前記電動工具本体（１）から突出する回転軸（２）と、前記回転軸（２）に取り付けられる研削切断ディスク（４）と、前記研削切断ディスク（４）を覆う保護カバー（３）とを備えた電動工具（１）に取り付けられて集塵する集塵アタッチメント（５）の取り付け構造であって、
前記電動工具本体（１）にワンタッチで締結可能なレバークリップ型締め付けバンド（６）と、
フック先端側に挿入部（７ａ）を有し、フック基端側に固定部（７ｂ）を有するフック状の取り付け体（７）と、
先端側に集塵口を有する筒状の集塵アタッチメント（５）と、
前記集塵アタッチメント（５）内をスライド可能に嵌装される摺動パイプ（8）を備え、
前記集塵アタッチメント（５）と前記摺動パイプ（8）は、止着具（９）によって固定されることを特徴とする集塵アタッチメント（５）の取り付け構造。
【請求項２】
前記集塵アタッチメント（５）の筒体外周先端部から中央部に向けて水平状の
摺動溝（５ａ）を形成すると共に、
前記筒体外周先端部から中央部に向けて切断刃による切込を設けて切断部を起
立させ、手指の外傷などを防止するための遮蔽板（５ｂ）と、保護カバー（３）
嵌装用の開口部（５ｃ）とを形成していることを特徴とした請求項１に記載の
集塵アタッチメント（５）の取り付け構造。
【請求項３】
前記摺動パイプ（8）の外径（ｄ１）は少なくとも前記集塵アタッチメント
（５）内を摺動可能とすると共に、
前記摺動パイプ（8）の上部外周面には前記保護カバー（３）嵌装用の開口
（8ａ）部が形成されていることを特徴とした請求項１又は請求項２に記載
の集塵アタッチメント（５）の取り付け構造。
【請求項４】
前記摺動パイプ（8）のほぼ中央外周側面には貫通孔（8ｂ）を穿設すると共に、
前記貫通孔（8ｂ）と前記摺動溝（５ａ）には、摘みボルト（９ａ）、ナット（９
ｂ）、座金（９ｃ）及びコイルばね（９ｄ）からなるが止着具（９）が装着され、
前記集塵アタッチメント（５）と前記摺動パイプ（８）は連結されていること
を特徴とした請求項１〜請求項３の何れかに記載の集塵アタッチメント（５）
の取り付け構造。
【請求項５】
前記摺動パイプ（８）は前記摘みボルト（９ａ）を緩めることにより前記摺動
溝（５ａ）における所望の位置にスライド可能とされていることを特徴とした
請求項１〜請求項４の何れかに記載の集塵アタッチメント（５）の取り付け構
造。
【請求項６】
前記摘みボルト（９ａ）にはコイルばね（９ｄ）が取り付けられると共に、
前記座金（９ｃ）は前記集塵アタッチメント（５）の外周面に沿うように湾曲
していることを特徴とした請求項１〜請求項５の何れかに記載の集塵アタッチ
メント（５）の取り付け構造。
【考案の詳細な説明】
【技術分野】
【０００１】
本考案は、集塵アタッチメントの取り付け構造に関する。
【背景技術】
【０００２】
本願出願人は、先に集塵アタッチメントの取り付け構造に関し、集塵ホースが取り付けられない既存の電動工具であっても、集塵アタッチメントを後付けすることにより、集塵ホースの取り付けが可能になって作業性を向上させ、かつ大きな集塵効果を発揮することができる集塵アタッチメントの取り付け構造を提供することを提案し、特許文献１（第１頁、図１参照）として開示されている。
【先行技術文献】
【特許文献】
【０００３】
【特許文献１】実用新案登録第３１７８２１１号公報
【考案の概要】
【考案が解決しようとする課題】
【０００４】
しかし、本願出願人は、実用新案登録後における特許文献１の集塵アタッチメントの取り付け構造に関し、鋭意検討した結果、さらに改良を必要とするところがあることを確認した。
【０００５】
（１）そこで、本願考案が解決しようとする第１の課題は、
集塵ホースが取り付けられない既存の電動工具であっても、集塵アタッチメントを後付けすることにより、集塵ホースの取り付けが可能になって作業性をさらに向上させることができる集塵アタッチメントの取り付け構造を提供することである。
【０００６】
（２）第２の課題は、
さらに大きな集塵効果を発揮することができる集塵アタッチメントの取り付
け構造を提供することである。
【０００７】
（３）第３の課題は、
集塵ホースの装着がさらに容易な集塵アタッチメントの取り付け構造を提供
することである。
【０００８】
（４）第４の課題は、
集塵アタッチメントにおける取り付け体の締め付けバンドへの装着作業が円
滑に行われる集塵アタッチメントの取り付け構造を提供することである。
【課題を解決するための手段】
【０００９】
本願考案者は、上記のように、従来技術が有する各種の問題点に鑑み、鋭意検討を重ねて集塵アタッチメントの取り付け構造を完成させたものである。
＊＊＊＊＊＊＊＊＊＊＊＊＊＊＊＊＊＊＊＊＊＊＊＊＊＊＊＊＊＊＊＊＊＊＊
本願の明細書、実用新案登録請求の範囲等に記載の用語についての解釈上の疑義を解消すべく、以下本願明細書、実用新案登録請求の範囲等に記載する用語の説明を行うこととする。
＜用語の説明＞
〇「電動工具」とは、主としてディスクサンダー（ディスクグラインダーとも称呼される）の意味であって、電動モータが内蔵されており、研削、切断、研磨などの用途と、材料に合わせたディスクを取り付ける。そして、例えば、切断する場合には、ディスクを縦向きにして材料に当て、研磨する場合にはディスクの面を材に向ける。
〇「集塵アタッチメント」とは、研削、切断等の際に発生する塵埃を集めて集塵機の集塵ホースを通して除去するためのアタッチメントである。
〇「摺動パイプ」とは、研削、切断等の作業環境に応じ、集塵効率が最適な位置にスライド可能な集塵アタッチメントの補助具である。＊＊＊＊＊＊＊＊＊＊＊＊＊＊＊＊＊＊＊＊＊＊＊＊＊＊＊＊＊＊＊＊＊＊＊
【００１０】
課題を解決するための手段（第１考案〜第６考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案であり、
第５考案は、請求項５に記載の考案であり、
第６考案は、請求項６に記載の考案であり、
具体的な課題を解決するための手段は、以下の通りである。
【００１１】
○第１の考案（請求項１に記載の考案）
上記の課題を解決するための第１の考案（請求項１に記載の考案）は、電動工具本体（１）と、前記電動工具本体（１）から突出する回転軸（２）と、前記回転軸（２）に取り付けられる研削切断ディスク（４）と、前記研削切断ディスク（４）を覆う保護カバー（３）とを備えた電動工具（１）に取り付けられて集塵する集塵アタッチメント（５）の取り付け構造であって、前記電動工具本体（１）にワンタッチで締結可能なレバークリップ型締め付けバンド（６）と、フック先端側に挿入部（７ａ）を有し、フック基端側に固定部（７ｂ）を有するフック状の取り付け体（７）と、先端側に集塵口を有する筒状の集塵アタッチメント（５）と、前記集塵アタッチメント（５）内をスライド可能に嵌装される摺動パイプ（8）を備え、前記集塵アタッチメント（５）と前記摺動パイプ（8）は、止着具（９）によって固定されることを特徴とする、集塵アタッチメント（５）の取り付け構造である。
○第２の考案（請求項２に記載の考案）
上記の課題を解決するための第２の考案（請求項２に記載の考案）は、前記集塵アタッチメント（５）の筒体外周先端部から中央部に向けて水平状の摺動溝（５ａ）を形成すると共に、前記筒体外周先端部から中央部に向けて切断刃による切込を設けて切断部を起立させ、手指の外傷などを防止するための遮蔽板（５ｂ）と、保護カバー（３）嵌装用の開口部（５ｃ）とを形成していることを特徴とする、請求項１に記載の集塵アタッチメント（５）の取り付け構造である。
○第３の考案（請求項３に記載の考案）
上記の課題を解決するための第３の考案（請求項３に記載の考案）は、前記摺
動パイプ（8）の外径（ｄ１）は少なくとも前記集塵アタッチメント（５）内を
摺動可能とすると共に、前記摺動パイプ（8）の上部外周面には前記保護カバー
（３）嵌装用の開口（8ａ）部が形成されていることを特徴とする、請求項１又
は請求項２に記載の集塵アタッチメント（５）の取り付け構造である。
○第４の考案（請求項４に記載の考案）
上記の課題を解決するための第４の考案（請求項４に記載の考案）は、前記摺
動パイプ（8）のほぼ中央外周側面には貫通孔（8ｂ）を穿設すると共に、前記
貫通孔（8ｂ）と前記摺動溝（５）には、摘みボルト（９ａ）、ナット（９ｂ）、
座金（９ｃ）及びコイルばね（９ｄ）からなる止着具（９）が装着され、前記
集塵アタッチメント（５）と前記摺動パイプ（８）は連結されていることを特
徴とする、請求項１〜請求項３の何れかに記載の集塵アタッチメント（５）
の取り付け構造である。
○第５の考案（請求項５に記載の考案）
上記の課題を解決するための第５の考案（請求項５に記載の考案）は、前記摺
動パイプ（８）は前記摘みボルト（９ａ）を緩めることにより前記摺動溝（５
ａ）における所望の位置にスライド可能とされていることを特徴とする、請求
項１〜請求項４の何れかに記載の集塵アタッチメント（５）の取り付け構造で
ある。
○第６の考案（請求項６に記載の考案）
上記の課題を解決するための第６の考案（請求項６に記載の考案）は、前記摘
みボルト（９ａ）にはコイルばね（９ｄ）が取り付けられると共に、前記座金
（９ｃ）は前記集塵アタッチメント（５）の外周面に沿うように湾曲している
ことを特徴とする、請求項１〜請求項５の何れかに記載の集塵アタッチメント
（５）の取り付け構造である。
【考案の効果】
【００１２】
本願考案に係る、集塵アタッチメント（５）の取り付け構造は、上記のような
特徴的構成要件から構成され、特徴的構成要件に応じた、以下のような本願考
案特有の効果を奏する。また、各考案に応じた、上記のような特徴的構成要件
から構成された集塵アタッチメント（５）の取り付け構造によれば、本願考案
の課題を十分解消することができた。
○第１の考案の効果
第１の考案によれば、電動工具本体（１）と、前記電動工具本体（１）から突出する回転軸（２）と、前記回転軸（２）に取り付けられる研削切断ディスク（４）と、前記研削切断ディスク（４）を覆う保護カバー（３）とを備えた電動工具（１）に取り付けられて集塵する集塵アタッチメント（５）の取り付け構造であって、前記電動工具本体（１）にワンタッチで締結可能なレバークリップ型締め付けバンド（６）と、フック先端側に挿入部（７ａ）を有し、フック基端側に固定部（７ｂ）を有するフック状の取り付け体（７）と、先端側に集塵口を有する筒状の集塵アタッチメント（５）と、前記集塵アタッチメント（５）内をスライド可能に嵌装される摺動パイプ（8）を備え、前記集塵アタッチメント（５）と前記摺動パイプ（8）は、止着具（９）によって固定されることを特徴とする、集塵アタッチメント（５）の取り付け構造であるという特徴的な構成要件により、本願考案が解決しようとする第１課題〜第４課題を達成することができ、当業者予測不可能な顕著な効果を奏することができた。
○第２の考案の効果
第２の考案によれば、前記集塵アタッチメント（５）の筒体外周先端部から中央部に向けて水平状の摺動溝（５ａ）を形成すると共に、前記筒体外周先端部から中央部に向けて切断刃による切込を設けて切断部を起立させ、手指の外傷などを防止するための遮蔽板（５ｂ）と、保護カバー（３）嵌装用の開口部（５ｃ）とを形成していることという特徴的な構成要件により、本考案が解決しようとする第１課題〜第４課題を達成することができ、当業者予測不可能な顕著な効果を奏することができた。
○第３の考案の効果
第３の考案によれば、前記摺動パイプ（8）の外径（ｄ１）は少なくとも前記集
塵アタッチメント（５）内を摺動可能とすると共に、前記摺動パイプ（8）の上
部外周面には前記保護カバー（３）嵌装用の開口（8ａ）部が形成されているこ
とという特徴的な構成要件により、本考案が解決しようとする第１課題〜第４課題を達成することができ、当業者予測不可能な顕著な効果を奏することができた。
○第４の考案の効果
第４の考案によれば、前記摺動パイプ（8）のほぼ中央外周側面には貫通孔（8
ｂ）を穿設すると共に、前記貫通孔（8ｂ）と前記摺動溝（５ａ）には、摘みボ
ルト（９ａ）、ナット（９ｂ）、座金（９ｃ）及びコイルばね（９ｄ）からなる
止着具（９）が装着され、前記集塵アタッチメント（５）と前記摺動パイプ（８）
は連結されていることという特徴的な構成要件により、本考案が解決しようとする第１課題〜第４課題を達成することができ、当業者予測不可能な顕著な効果を奏することができた。
○第５の考案の効果
第５の考案によれば、前記摺動パイプ（８）は前記摘みボルト（９ａ）を緩め
ることにより前記摺動溝（５ａ）における所望の位置にスライド可能とされて
いることという特徴的な構成要件により、本考案が解決しようとする第１課題〜第４課題を達成することができ、当業者予測不可能な顕著な効果を奏することができた。
○第６の考案の効果
第６の考案によれば、前記摘みボルト（９ａ）にはコイルばね（９ｄ）が取り
付けられると共に、前記座金（９ｃ）は前記集塵アタッチメント（５）の外周
面に沿うように湾曲していることという特徴的な構成要件により、本考案が解決しようとする第１課題〜第４課題を達成することができ、当業者予測不可能な顕著な効果を奏することができた。
【考案を実施するための形態】
【００１３】
以下、本考案に係る、集塵アタッチメント（５）の取り付け構造に関する最良の実施形態について、図面を参照しながら説明する。
図１は、本考案に係る、集塵アタッチメント（５）の取り付け構造の組立状態を示す斜視図である。
図２は、締め付けバンド（６）の斜視図である。
図３は、集塵アタッチメント（５）及び摺動パイプを分離した状態の斜視図である。
図４は、集塵アタッチメント（５）を締め付けバンド（６）に組み付けた状態の断面図である。
図５は、集塵アタッチメント（５）と摺動パイプの連結状態を示す断面図である。
11111＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
電動工具（１）は、図１で示すように、電動工具本体（１）と、電動工具本体（１）内に内蔵されている電動モータ（図示しない）からの出力軸である回転軸（２）と、この回転軸（２）の外周の電動工具本体（１）に固定される保護カバー（３）と、この保護カバー（３）内に位置して取り付けられる研削切断ディスク（４）とから構成される。保護カバー（３）は半円皿状に形成され、ボルト、ナットなどの固定具により、着脱可能に固定される。
集塵アタッチメント（５）は、電動工具本体（１）を締め付ける締め付けバンド（６）及び取り付け体（７）により、電動工具（１）に固定される。集塵アタッチメント（５）は、円筒状に形成されており、先端側に集塵口（５１）を有し、後端側には集塵ホース（１０）が着脱自在に取り付けられる。
締め付けバンド（６）は、図１及び図２などで示すように、リング（６ａ）の一端に操作用レバー（６ｂ）とクリップ（６ｃ）が取り付けられ、他端には係止部（６ｄ）が形成されたレバークリップ型の締め付けバンド（６）である。また、リング（６ａ）のほぼ中央には取り付け体（７）の挿入部（７ａ）が挿入されるスリット（６ｓ）が形成されている。
取り付け体（７）は、フック状に形成されており、先端側に挿入部（７ａ）を有し、フック基端側に固定部（７ｂ）を有している。
（８）は、摺動パイプで、電動工具（１）による研削、切断などを行う作業環境に応じ、集塵効率が最適な位置にスライド可能な集塵アタッチメント（５）の補助具である。摺動パイプ（８）は、止着具（９）によって集塵アタッチメント（５）と連結されている。
図２に示す締め付けバンド（６）は、予め電動工具本体（１）にワンタッチで締結され、取り付け体（７）におけるフック先端側の挿入部（７ａ）は、締め付けバンド（６）のスリット（６ｓ）に差し込まれる。取り付け体（７）におけるフック基端側の固定部（７ｂ）は、図１及び図３に示すように集塵アタッチメント（５）の外周面にネジ止めされている。
○第１の考案の効果・第１の考案によれば、電動工具本体（１）と、前記電動工具本体（１）から突出する回転軸（２）と、前記回転軸（２）に取り付けられる研削切断ディスク（４）と、前記研削切断ディスク（４）を覆う保護カバー（３）とを備えた電動工具（１）に取り付けられて集塵する集塵アタッチメント（５）の取り付け構造であって、前記電動工具本体（１）にワンタッチで締結可能なレバークリップ型締め付けバンド（６）と、フック先端側に挿入部（７ａ）を有し、フック基端側に固定部（７ｂ）を有するフック状の取り付け体（７）と、先端側に集塵口を有する筒状の集塵アタッチメント（５）と、前記集塵アタッチメント（５）内をスライド可能に嵌装される摺動パイプ（8）を備え、前記集塵アタッチメント（５）と前記摺動パイプ（8）は、止着具（９）によって固定されることを特徴とする、集塵アタッチメント（５）の取り付け構造であるという特徴的な構成要件により、本願考案が解決しようとする第１課題〜第４課題を達成することができ、当業者予測不可能な顕著な効果を奏することができた。
22222＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１及び図３に示すように、集塵アタッチメント（５）の筒体外周の先端部から中央部に向けては水平状の摺動溝（５ａ）が形成され、該摺動溝（５ａ）の上部には外周先端部から中央部に向けてカッターなどの切断刃による切込が設けられ、その切断部を起立させ、手指の外傷などを防止するための遮蔽板（５ｂ）と、保護カバー（３）嵌装用の開口部（５ｃ）とが形成されている。研削切断ディスク（４）と保護カバー（３）の下方は、図１及び図４に示すように開口部（５ｃ）内に収容されて各種作業が円滑に進められる。
○第２の考案の効果・第２の考案によれば、前記集塵アタッチメント（５）の筒体外周先端部から中央部に向けて水平状の摺動溝（５ａ）を形成すると共に、前記筒体外周先端部から中央部に向けて切断刃による切込を設けて切断部を起立させ、手指の外傷などを防止するための遮蔽板（５ｂ）と、保護カバー（３）嵌装用の開口部（５ｃ）とを形成していることという特徴的な構成要件により、本考案が解決しようとする第１課題〜第４課題を達成することができ、当業者予測不可能な顕著な効果を奏することができた。
33333＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図４に示すように、摺動パイプ（8）の外径（ｄ１）は、少なくとも集塵アタッ
チメント（５）の内径（ｄ２）より小とされている。これにより摺動パイプ（8）
は集塵アタッチメント（５）内を摺動可能とされ、電動工具（１）の使用者は
所望する最適位置まで移動させて切断、研磨作業などによる塵埃を効率よく集
塵することができる。また図３及び図４に示すように、摺動パイプ（8）の上部
外周面には保護カバー（３）嵌装用の開口（8ａ）部が形成されているので切断、
研磨作業などによる塵埃をさらに効率よく集塵することができる。
○第３の考案の効果・第３の考案によれば、前記摺動パイプ（8）の外径（ｄ１）
は少なくとも前記集塵アタッチメント（５）内を摺動可能とすると共に、前記
摺動パイプ（8）の上部外周面には前記保護カバー（３）嵌装用の開口（8ａ）
部が形成されていることという特徴的な構成要件により、本考案が解決しよう
とする第１課題〜第４課題を達成することができ、当業者予測不可能な顕著な
効果を奏することができた。
44444＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図３に示すように、摺動パイプ（8）のほぼ中央外周側面には貫通孔（8ｂ）が
穿設されている。該貫通孔（8ｂ）と集塵アタッチメント（５）の摺動溝（５ａ）
には、摘みボルト（９ａ）、ナット（９ｂ）、座金（９ｃ）及びコイルばね（９
ｄ）からなる止着具（９）が装着され、集塵アタッチメント（５）と摺動パイ
プ（８）は連結される。摺動パイプ（8）を移動するときは、摘みボルト（９ａ）
のローレット部を指先で左回転させてこれを緩め、所望の位置までスライドさ
せ、再び摘みボルト（９ａ）を右回転すれば、摺動パイプ（8）はコイルばね（９
ｄ）と座金（９ｃ）で集塵アタッチメント（５）の外周面に圧接、固定される。
○第４の考案の効果・第４の考案によれば、前記摺動パイプ（8）のほぼ中央外
周側面には貫通孔（8ｂ）を穿設すると共に、前記貫通孔（8ｂ）と前記摺動溝
（５ａ）には、摘みボルト（９ａ）、ナット（９ｂ）、座金（９ｃ）及びコイル
ばね（９ｄ）からなる止着具（９）が装着され、前記集塵アタッチメント（５）
と前記摺動パイプ（８）は連結されていることという特徴的な構成要件により、
本考案が解決しようとする第１課題〜第４課題を達成することができ、当業者
予測不可能な顕著な効果を奏することができた。
55555＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
摺動パイプ（８）は、摘みボルト（９ａ）、ナット（９ｂ）、座金（９ｃ）及び
コイルばね（９ｄ）からなる止着具（９）によって、集塵アタッチメント（５）
に連結、固定されており、摺動パイプ（８）と集塵アタッチメント（５）の長
さ調整するさいには、摘みボルト（９ａ）のローレット部を指先で左回転させ
てこれを緩め、所望の位置までスライドさせ、再び摘みボルト（９ａ）を右回
転すれば、摺動パイプ（8）はコイルばね（９ｄ）と座金（９ｃ）で集塵アタッ
チメント（５）の外周面に圧接、固定される。
○第５の考案の効果・第５の考案によれば、前記摺動パイプ（８）は前記摘み
ボルト（９ａ）を緩めることにより前記摺動溝（５ａ）における所望の位置に
スライド可能とされていることという特徴的な構成要件により、本考案が解決
しようとする第１課題〜第４課題を達成することができ、当業者予測不可能な
顕著な効果を奏することができた。
66666＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図３及び図５に図示するように、摘みボルト（９ａ）にはコイルばね（９ｄ）
が取り付けられると共に、座金（９ｃ）は、集塵アタッチメント（５）の外周
面に沿うように湾曲しているので、摺動パイプ（８）内周面と集塵アタッチメント（５）の外周面は、強く圧接、連結されており、電動工具（１）による切断、研磨作業に伴う振動や衝撃にも何らの影響を受けることなく作業を進捗することができる。
○第６の考案の効果・第６の考案によれば、前記摘みボルト（９ａ）にはコイ
ルばね（９ｄ）が取り付けられると共に、前記座金（９ｃ）は前記集塵アタッ
チメント（５）の外周面に沿うように湾曲していることという特徴的な構成要
件により、本考案が解決しようとする第１課題〜第４課題を達成することがで
き、当業者予測不可能な顕著な効果を奏することができた。
【図面の簡単な説明】
【００１４】
【図１】本考案に係る、集塵アタッチメント（５）の取り付け構造の組立状態を示す斜視図である。
【図２】締め付けバンド（６）の斜視図である。
【図３】集塵アタッチメント（５）及び摺動パイプを分離した状態の斜視図である。
【図４】集塵アタッチメント（５）を締め付けバンド（６）に組み付けた状態の断面図である。
【図５】集塵アタッチメント（５）と摺動パイプの連結状態を示す断面図である。
【符号の説明】
【００１５】
１……  電動工具、電動工具本体
２……  回転軸
３……  保護カバー
４……  研削切断ディスク
５……  集塵アタッチメント    
５ａ……摺動溝
５ｂ……遮蔽板
５ｃ……開口部
６……  締め付けバンド
７……  取り付け体
７ａ……挿入部
７ｂ……固定部
８……  摺動パイプ
８ａ……開口部
８ｂ……貫通孔
９……  止着具（９）
９ａ……摘みボルト
９ｂ……ナット
９ｃ……座金
９ｄ……コイルばね
１０……集塵ホース
【図１】
0003185228.tif 000003
【図２】
0003185228.tif 000004
【図３】
0003185228.tif 000005
【図４】
0003185228.tif 000006
【図５】
0003185228.tif 000007